(57)【特許請求の範囲】
【請求項１】
符号分割多元接続（ＣＤＭＡ）無線通信システムにおける目標基地局において複数のビーコン信号を送信する装置であって：
スペクトル拡散信号を送信するよう構成され、かつさらに前記複数のビーコン信号を送信するよう構成された単一の送信機であって、前記ビーコン信号は原始基地局に関連する第１周波数を含む対応する複数の異なる周波数を有し、前記ビーコン信号は前記原始基地局における前記第１周波数から前記目標基地局に関連する第２周波数へ移動局のハンドオフを開始するために使用され、前記送信機は前記ビーコン信号周波数を走査するよう構成されているもの；
前記送信機に結合された全地球的位置システム（ＧＰＳ）タイミング同期ブロックであって、該ＧＰＳタイミング同期ブロックはタイミング情報を提供するもの；および
前記タイミング情報に基づき前記送信機が前記ビーコン信号を前記対応する複数の異なる周波数で、各周波数ごとに異なる時間に、送信するよう制御する制御機；
を具備することを特徴とするＣＤＭＡ無線通信システムにおける目標基地局において複数のビーコン信号を送信する装置。
【請求項２】
前記制御機は、前記ＣＤＭＡ無線通信システムと同期であることを特徴とする請求項１記載の装置。
【請求項３】
前記複数のビーコン信号は、パイロット・チャネルを有する信号をさらに備えることを特徴とする請求項１記載の装置。
【請求項４】
前記複数のビーコン信号は、パイロットおよび同期チャネルを有する信号をさらに備えることを特徴とする請求項１記載の装置。
【請求項５】
前記複数のビーコン信号は、パイロット、ページおよび同期チャネルを有する信号をさらに備えることを特徴とする請求項１記載の装置。
【請求項６】
前記複数のビーコン信号は、共通のパイロット、ページおよび同期チャネルを有することを特徴とする請求項５記載の装置。
【請求項７】
前記複数のビーコン信号は、異なるパイロット、ページおよび同期チャネルを有することを特徴とする請求項５記載の装置。
【請求項８】
前記複数のビーコン信号の各々に対し、前記異なるパイロット、ページおよび同期チャネルの割当てに関連する入力を受け入れる手段をさらに含むことを特徴とする請求項７記載の装置。
【請求項９】
前記対応する複数の異なる周波数で前記ビーコン信号を送信する前記送信機は、カバレッジ・エリアの異なるセクタへ周期的に切り替えられることを特徴とする請求項１記載の装置。
【請求項１０】
第１周波数から第２周波数へ移動局をハンドオフする符号分割多元接続（ＣＤＭＡ）無線通信システムであって、前記第１周波数は原始基地局に関連し、かつ前記第２周波数は目標基地局に関連し、前記無線通信システムは：
目標カバレッジ・エリアでは、
前記第１周波数を含む対応する複数の異なる周波数で複数のビーコン信号を送信する手段であって、該送信する手段はスペクトル拡散信号を送信しかつ前記ビーコン信号周波数を走査するもの、
前記送信する手段に結合され、ＧＰＳタイミング情報を提供する手段；
前記タイミング情報に基づき前記送信機が前記対応する複数の異なる周波数を有するビーコン信号を、各周波数ごとに異なる時間に、送信するよう制御する手段；
を具備し；
移動局では、
受信した前記ビーコン信号の１つに基づき、前記原始基地局における前記第１周波数から前記目標基地局における前記第２周波数へのハンドオフが要求されていることを判定しかつ前記ハンドオフを開始する手段；
を具備し；
制御機では、
前記ハンドオフの開始に関連する情報に基づき、前記原始基地局における前記第１周波数から前記目標基地局における前記第２周波数へハンドオフするよう前記移動局に指示する手段；
を具備することを特徴とする無線通信システム。
【請求項１１】
前記移動局は、前記複数の異なる周波数の内の第１周波数を有する通信信号を介して原始基地局と通信することを特徴とする請求項１０記載の通信システム。
【請求項１２】
前記移動局は、前記複数の異なる周波数の内の第１周波数を有する通信信号と前記第１周波数を有する前記ビーコン信号の内受信したものとの間の比較に基づき前記ハンドオフを開始することを特徴とする請求項１１記載の通信システム。
【請求項１３】
前記移動局は、前記複数の異なる周波数の内の第１周波数を有する通信信号と前記第１周波数を有する前記ビーコン信号の内受信したものとの間におけるＥｃ／Ｉｏの比較に基づき前記ハンドオフを開始することを特徴とする請求項１２記載の通信システム。
【請求項１４】
符号分割多元接続（ＣＤＭＡ）無線通信システムにおける目標基地局において複数のビーコン信号を送信する装置であって：
スペクトル拡散信号を送信しかつさらに前記複数のビーコン信号を送信する単一の送信機であって、前記ビーコン信号は原始基地局に関連する第１周波数を含む対応する複数の異なる周波数を有し、前記ビーコン信号は前記原始基地局における前記第１周波数から前記目標基地局に関連する第２周波数へ移動局のハンドオフを開始するために使用され、前記送信機は前記ビーコン信号の周波数を走査するもの；
前記送信機に結合されたＧＰＳタイミング同期ブロックであって、前記ＧＰＳタイミング同期ブロックはタイミング情報を提供するもの；および
前記タイミング情報に基づき各周波数ごとに互いに異なる時間に前記ビーコン信号を送信するよう前記送信機を制御する制御機；
を具備することを特徴とするＣＤＭＡ無線通信システムにおける目標基地局において複数のビーコン信号を送信する装置。
【請求項１５】
符号分割多元接続（ＣＤＭＡ）無線通信システムにおける目標基地局において複数のビーコン信号を送信する方法であって：
スペクトル拡散信号を送信する送信機を使用して、前記ビーコン信号を送信する段階であって、前記ビーコン信号は原始基地局に関連する第１周波数を含む対応する複数の異なる周波数を有し、前記ビーコン信号は前記原始基地局における前記第１周波数から前記目標基地局に関連する第２周波数へ移動局のハンドオフを開始するために使用され、前記送信機は前記ビーコン信号の周波数を走査するよう構成された段階；
ＧＰＳタイミング情報を前記送信機に提供する段階；および
前記ＧＰＳタイミング情報に基づき前記送信機が前記対応する複数の異なる周波数で前記ビーコン信号を、各周波数ごとに異なる時間に、送信するよう制御する段階；
を具備することを特徴とするＣＤＭＡ無線通信システムにおける目標基地局において複数のビーコン信号を送信する方法。
【請求項１６】
前記複数のビーコン信号は、パイロット・チャネルを有する信号、またはパイロットおよび同期チャネルを有する信号、をさらに備えることを特徴とする請求項１５記載の方法。
【請求項１７】
前記複数のビーコン信号は、パイロット、ページおよび同期チャネルを有する信号をさらに備えることを特徴とする請求項１５記載の方法。
【請求項１８】
前記複数のビーコン信号は、共通のパイロット、ページおよび同期チャネル、あるいは異なるパイロット、ページおよび同期チャネル、のいずれかを有することを特徴とする請求項１７記載の方法。
【請求項１９】
前記複数のビーコン信号の各々に対する前記異なるパイロット、ページおよび同期チャネルの割当てに関連する入力を受け入れる段階をさらに含むことを特徴とする請求項１８記載の方法。
【請求項２０】
前記対応する複数の異なる周波数で前記ビーコン信号を送信する段階は、カバレッジ・エリアの異なるセクタへ送信を周期的に切り替えるよう制御されることを特徴とする請求項１５記載の方法。
【発明の詳細な説明】
（発明の属する技術分野）
本発明は、一般に、通信システム関し、さらに特定すればこのような通信システムにおけるビーコン信号の送信に関する。
（従来の技術）
現在の符号分割多重アクセス（ＣＤＭＡ）通信システムでは、ある周波数から他の周波数への移動局の通信の受け渡し（ハンドオフ）は、「ハード・ハンドオフ」と呼ばれるが、問題を提起する。ＣＤＭＡのハード・ハンドオフ中の最も大きな問題は、ＭＡＨＯ(Mobile Assisted Handoff)による。特に、移動局がハードハンドオフを行うべき地点を決定することは困難である。ＣＤＭＡのハード・ハンドオフ問題に対する１つの解決法は、いわゆる「ビーコン信号」を用いることで、移動局に異なるＰＮオフセットを有する同じ周波数での「ソフト・ハンドオフ」（ある擬似雑音(PN)オフセットで拡散されたある周波数からのハンドオフ）を行わせることである。典型的には、原始チャネル(source channel)と目標チャネル(target channel)は境界により分離されておりかつＣＤＭＡセルラ無線電話システムが異なる領域にあるか、あるいは２つの分離した運営者によって別々に運営さていることである。ソフト・ハンドオフが境界を越えて起こると、共通の目標とするＣＤＭＡセルラ無線電話システム内でのハード・ハンドオフはよく知られた技術により実行される。
【０００１】
ビーコン信号による解決も問題を残している。例えば、多重周波数であるＣＤＭＡ通信システムにとって、１つの対応ビーコン信号が原始ＣＤＭＡ通信システムによって提供される各周波数に対して要求される。この問題は、原始および目標ＣＤＭＡ通信システム双方が区分される場合、強調される。最後に、原始ＣＤＭＡセルラ無線電話システムの多重周波数に対応して送信機を付加することは、投入された送信機が各ビーコン信号を送信する必要があるので、費用が高くなる。
【０００２】
このように、従来の技術の欠点を克服する装置および方法が必要とされる。
（好適な実施例の詳細な説明）
適切なビーコン信号周波数で送信するために制御される信号送信機が各周波数を通して走査され、それにより移動局は異なる周波数へのハード・ハンドオフを何時要求すべきかを決定する。送信機はパイロット・チャネルのみ、パイロット／同期 チャネル、各周波数に対し共通のパイロット／ページ／同期 チャネル、あるいは各周波数に対し異なるパイロット／ページ／同期 チャネルを含むビーコン信号を送信する制御機によって制御される。目標基地局(target base station)によって支援されるカバレッジ・エリアが区分けされる場合各周波数は異なるセクタへ送信されるというような付加的制御が制御機によって提供される。
【０００３】
一般的に述べると、通信システムで複数のビーコン信号を送信する装置が、本発明に従って記述される。複数のビーコン信号は複数の対応する異なった周波数を有し、移動局のハンドオフを第１周波数から第２周波数へ主に開始するために使用される。本装置は複数の対応する異なった周波数でビーコン信号を送信するための送信機と、その送信機が複数の対応する異なった周波数でビーコン信号を送信する時刻を制御する制御機とを含む。少し別の言い方をすれば、制御機はまた互いに異なった時刻でビーコン信号を送信する送信機を制御する。本発明に従う装置によって実現される対応する方法が、ここにまた記述される。
【０００４】
好適な実施例では、通信システムは、さらに符号分割多重アクセス（ＣＤＭＡ）無線通信システムを含む。制御機は、ＣＤＭＡ無線通信システムと同期あるいは非同期のいずれかである。複数のビーコン信号は、パイロット・チャネルを含む信号、パイロットおよび同期チャネルを有する信号、パイロット，ページおよび同期チャネルであってビーコン信号に共通あるいはあるビーコン信号が他のビーコン信号と異なる信号を有していてもよい。本装置は、さらに複数のビーコン信号の各々に対し、異なるパイロット、ページおよび同期チャネルの指示に関連する入力を受け付ける手段を含む。別の実施例では、本装置は、複数の対応する異なった周波数でビーコン信号を送信するための送信機が周期的に異なったカバレッジ・エリアのセクタに切り替えられるように構成される。
【０００５】
また、第１周波数から第2周波数へ移動局をハンドオフする通信システムが本発明に従ってここに記述されるが、目標カバレッジ・エリアで、本通信システムは、対応する異なった複数の周波数で複数のビーコン信号を送信する手段および送信機が対応する異なった複数の周波数を有するビーコン信号を送信する時刻を制御する手段を含む。移動局では、受信したビーコン信号の１つに基づくが、第１周波数から第2周波数へのハンドオフの決定およびそのハンドオフを開始する手段を含む。制御機では、そのハンドオフの開始に関連する情報に基づいて第１周波数から第2周波数へハンドオフする移動局を指令する手段を含む。
【０００６】
本通信システムは符号分割多重アクセス（ＣＤＭＡ）無線通信システムである。本通信システムでは、移動局は複数の異なる周波数の内の第１周波数を有する通信信号を介して原始基地局(source base station)と通信を行い、移動局は複数の異なる周波数の内の第１周波数を有する通信信号と第１周波数を有する受信ビーコン信号の１つとの比較に基づきハンドオフを開始する。特に、移動局は複数の異なる周波数の内の第１周波数を有する通信信号と第１周波数を有する受信ビーコン信号の１つとの間におけるＥc／Ｅoの比較に基づきハンドオフを開始する。
【０００７】
図１は、本発明を有効に実施するＣＤＭＡ通信システムを一般に表わす。好適な実施例では、ＣＤＭＡ通信システムはＣＤＭＡセルラ無線電話システムであり、2001 Eye Street, N.W., Washington, D.C. 20006に住所を置くElectric Industries Association (EIA)から刊行されたデジタル・セルラ・システム(DCS)のためのIS-95A, "Mobile Station-Base Station Compatibility Standard for Dual-Mode Wideband Spread Spectrum Cellular System" およびパーソナル通信システム(PCS)のためのASSI-J-STD-008と互換性がある。図１に示されるように、移動局（ＭＳ）１０１は原始基地局１０３とＣＤＭＡ通信で行うように示されている。好適な実施例では、原始基地局１０３は全方位のアンテナ・カバレッジをＭＳ１０１に提供するが、当業者であれば原始基地局１０３は区分されたアンテナ・カバレッジをＭＳ１０１に同様に提供できることを理解できるであろう。図１の典型的な構成では、原始基地局１０３はＣＤＭＡ通信をＭＳ１０１へ周波数Ｆ１−Ｆ３を介して提供し、それによりＭＳ１０１は、原始基地局１０３のカバレッジ・エリアにいる間、原始基地局１０３へのみ周波数Ｆ１，Ｆ２，Ｆ３上でトラフィック・チャネル（ＴＣＨ）を介して通信する。いかなる数の周波数であってもＣＤＭＡ通信システムの条件に依存して実行されることを当業者であれば理解するであろう。
【０００８】
ＭＳ１０１が原始基地局１０３のカバレッジ・エリアから境界１０５を越えて目標基地局(target base station)１０６によって提供されるカバレッジへ移動すると、ハード・ハンドオフがＭＳ１０１に要求される。目標基地局１０６は周波数Ｆ１−Ｆ３ではない周波数Ｆ４−Ｆ６でのみＣＤＭＡ通信をサポートするといえる。正にこのシナリオが上述したＣＤＭＡ通信システムにおけるハード・ハンドオフにおける問題を生じさせる。
【０００９】
従来技術の欠点を克服するために、ＣＤＭＡ通信システムにおいて複数のビーコン信号を送信する装置１０９が本発明に従って提供される。図１に表わされる装置１０９は目標カバレッジ・エリア内に一般に存在するとして示される、即ち実際のシステム運用では、装置１０９は実質的に目標基地局１０６ともに位置する。図１に示されるように、走査制御機１１２は、好適な実施例では、リニア電力増幅機（ＬＰＡ）１１５およびビーコン信号生成機１１６である送信機を制御するが、ＬＰＡ１１５は周波数Ｆ１−Ｆ３の各々上でＭＳ１０１が本発明に従ってハンドオフの要求を決定するのに十分に長い時間間隔の間走査する。他方、その時間間隔は十分短いので、本発明に従う本ＣＤＭＡ通信が悪化する前にＭＳ１０１は境界１０５を越えるとハンドオフする。全地球的位置システム（ＧＰＳ）のタイミング同期ブロック１１２はビーコン信号発生機１１６（特定の実施例では走査制御機１１２）にも接続され、必須のタイミング情報を提供する。
【００１０】
図２は、本発明に従ってビーコン信号の走査を有効に実行する典型的なタイミング・ダイアグラムを示す。図２に示されるように、好適な実施例では、ＬＰＡ１１５はほぼ２秒毎にパルスをオンおよびオフにする。ＬＰＡ１１５がオフである期間、ダミーの電力供給負荷が「オン」に切り替えられ、ＬＰＡ１１５の電力供給に導かれる一時的なリップルの総量を削減する。図２に見られるように、最初の２秒間、ＬＰＡ１１５は周波数Ｆ１で送信し、次の２秒間はＬＰＡ１１５は周波数Ｆ２で送信する等である。６秒後、ＬＰＡ１１５は再度周波数Ｆ１で送信し、周波数Ｆ１−Ｆ３での送信サイクルが続く。このようにして、本発明に従うビーコン信号送信機１０９は当分周波数Ｆ１−Ｆ３の各々を走査し、その結果ＭＳ１０１はハンドオフの決定を行う。この例では、ビーコン信号送信機の数は２／３減じられるので、それにより目標カバレッジ・エリアに導入される干渉の総量は２／３減じられる。さらに、２／３の専用ビーコン信号送信機の削減はビーコン信号送信機の費用を２／３削減することになる。
【００１１】
図１に戻って、ＭＳ１０１が原始基地局１０３と周波数Ｆ１でＣＤＭＡ通信を行っている場合、目標基地局１０６によって提供される周波数Ｆ３，Ｆ４，Ｆ５でのＴＣＨへのハンドオフは、ＭＳ１０１がハンドオフを要求すると、開始する。好適な実施例では、ＭＳ１０１は、例えば特定の２秒間の間ビーコン信号送信機１０９による周波数Ｆ１での送信が閾値を越える場合、ハンドオフが必要と判断する。好適な実施例では、IS-95AおよびANSI J-STD-008と互換性のあるＣＤＭＡ通信では、その閾値はＴ−ＣＯＭＰ閾値である。Ｔ−ＣＯＭＰ閾値は、原始基地局１０３によって送信されたパイロット・チャネルより２ｄB高い閾値であり、ＭＳ１０１で見られるように、Ｅc／Ｉoというよく知られた形式である。基地局制御機（ＢＳＣ）１１８，１２１は保守および切替センタ（ＭＳＣ）１２４を経由して互いに通信し、ＭＳ１０１のハード・ハンドオフに影響するために要求される必須の信号を提供する。上述したIS-95AおよびANSI J-STD-008は、原始基地局１０３からＢＳＣ１１８，１２１およびＭＳＣ１２４を介して目標基地局１０６へのハンドオフに要求されるメッセージおよびパラメータに関する全ての関連する記述を含む。
【００１２】
ビーコン信号送信機１０９によって送信されたビーコン信号は、パイロット・チャネルのみ、パイロット／同期 チャネル、周波数Ｆ１−Ｆ３の各々に共通のパイロット／ページ／同期 チャネル、あるいは周波数Ｆ１−Ｆ３の各々と異なるパイロット／ページ／同期 チャネルを含む。図３は、本発明に従って、パイロット・チャネルのみを含むビーコン信号、パイロット／同期 チャネルあるいは周波数Ｆ１−Ｆ３の各々に対して共通するパイロット／ページ／同期 チャネルを含むビーコン信号を生成することのできるビーコン信号送信機を一般に示す。図３に示すように、走査制御機１１２は、ＣＤＭＡパイロット／ページ／同期 チャネルと関連するタイミングとは独立している。ＣＤＭＡチャネルは、ＧＰＳタイミング同期ブロック１１７からのＧＰＳタイミング同期情報を受信する。この実施例において、周波数Ｆ１−Ｆ３でのビーコン信号はパイロット・チャネルのみ、パイロット／同期 チャネル、あるいは周波数Ｆ１−Ｆ３の各々に共通のパイロット／ページ／同期 チャネルのいずれかを含むので、走査制御機１１２はＧＰＳタイミング同期ブロック１１７によって提供されるＧＰＳタイミングから独立するとともに、ＣＤＭＡ通信システムのタイミングと非同期である。
【００１３】
注意すべき重要なことは、ハンドオフは、移動局が２つのモードの内の１つにあるときに起こるということである。第１のモードでは、ＭＳ１０１が周波数Ｆ１−Ｆ３の１つでトラフィック・チャネル（ＴＣＨ）上でＣＤＭＡ通信を行っているとき（一般に「トラフィック・モード」と参照される。）、本発明に従うビーコン送信機１０９によって送信されるビーコン信号はパイロット・チャネルのみを含む必要がある。この状態では、ＢＳＣ１２１からの信号はパイロット・チャネルのみを含むビーコン信号が送信されることを示す。ＭＳＣ１０１がトラフィック・モードにある場合、ＭＳＣ１０１はハンドオフの要求を決定する際パイロット強度測定メッセージ（ＰＳＭＭ）を生成する。ＰＳＭＭは、本発明に従うビーコン信号送信機１０９によって送信されたビーコン信号内にパイロット・チャネルが原始基地局１０３によって送信されたパイロット・チャネルを２ｄB高いことをＭＳＣ１２４に示す。ＰＳＭＭに応答して、ＭＳＣ１２４はＭＳ１０１を指示する拡張ハンドオフ・メッセージを生成し、目標基地局１０６によってサポートされる周波数Ｆ４，Ｆ５，Ｆ６の１つにスイッチされる。拡張ハンドオフ・メッセージは、新しい周波数Ｆ４，Ｆ５，Ｆ６で使用するためのウォルシュ・コードおよびＴＣＨ指示のような追加情報を含む。
【００１４】
第２モードでは、ＭＳ１０１が電源オンされかつトラフィック・チャネル上を介してではなく（通常「アイドル・モード」と参照される。）原始基地局１０３に登録されると、アイドル・モード中のＭＳ１０１のハンドオフは本発明に従うビーコン信号送信機１０９によって送信されたビーコン信号がパイロット／ページ／同期 チャネルを含むことを要求する。再度、この状況下において、ＭＳ１０１がアイドル・モードにありかつパイロット／ページ／同期 チャネルが送信を要求する場合、ビーコン信号生成機１１６はＢＳＣ１２１からの信号を介して指示される。アイドル・モードのハンドオフ中、信号は要求されない。本発明に従うビーコン信号送信機１０９によって送信されかつＭＳ１０１によって受信されたビーコン信号内のパイロット・チャネルが原始基地局１０３によって送信されたパイロット・チャネルを２ｄB越えていると判断すると、ＭＳ１０１はハード・ハンドオフを開始する。ＭＳ１０１は、ビーコン信号送信機１０９によって送信されたビーコン信号内のページング・チャネルへ変わりその上の付加ページング・メッセージを受信する。ページング・チャネルの付加メッセージに含められた周波数情報により、ＭＳ１０１は目標基地局１０６によってサポートされた周波数Ｆ４，Ｆ５，Ｆ６の内の１つへ変更し、それによりアイドル・モードのハード・ハンドオフを完了する。注意すべき重要なことは、いずれのモード（トラフィックまたはアイドル）でのハード・ハンドオフ中でも、走査制御機１１２はＧＰＳタイミングを取得するためにＧＰＳタイミング同期ブロック１１７に結合される必要がないことで、この状況の下で本発明に従うビーコン信号走査がＧＰＳタイミングなしで達成される得るからである。
【００１５】
図３にも示されているように、走査制御機１１２の制御下での周波数合成機３０６は本発明に従う周波数Ｆ１−Ｆ３を越えて動作するように制御される。特定の時間間隔の間（図２に示されているように）周波数合成機３０６の出力は、ＣＤＭＡ無線周波数（ＲＦ）変調機３０９へ出力され、特定のビーコン信号をその動作モード（例えば、トラフィックあるいはアイドル・モード）に基づいてＭＳ１０１の要求に従って変調する。変調機３０９の出力は図２に示すようなパルスをオン／オフするＬＰＡ１１５に入力される。このように、本発明に従う図３の走査動作は、周波数Ｆ１−Ｆ３の各々に対し、パイロット・チャネルのみ、パイロット／同期 チャネルあるいはパイロット／ページ／同期 チャネルのいずれかを含むビーコン信号を送信する。
【００１６】
図４は、本発明に従って、各周波数Ｆ１−Ｆ３に対して異なるパイロット／ページ／同期 チャネルを含むビーコン信号を生成することのできるビーコン信号送信機１０９を一般に示す。ＣＤＭＡチャネルは、ＧＰＳタイミング同期ブロック１１７からＧＰＳタイミング同期情報を受信する。図４に示すように、走査制御機１１２は、信号４０３を介してブロック１１７から時刻および周波数情報を入手し、ＧＰＳタイミング同期ブロック１１７からのＧＰＳおよびページ／同期 チャネル・データ出力に同期させられる。この実施例において、周波数Ｆ１−Ｆ３でのビーコン信号は走査周波数Ｆ１−Ｆ３の各々と異なるパイロット／ページ／同期 チャネルを含むので、走査制御機１１２はブロック１１７によって提供されるＧＰＳタイミングに依存し、それによりＣＤＭＡ通信システムのタイミングと同期する。上記述べられた様々な状況におけるように、ＢＳＣ１２１からの信号は、周波数Ｆ１−Ｆ３に対するのと異なるパイロット／ページ／同期 チャネルを含むビーコン信号が本発明に従うハンドオフに影響を与えるためＭＳ１０１へ送信される必要があることを、ビーコン信号送信機１０９に示す。
【００１７】
図５は、本発明に従って、カバレッジ・エリアのさまざまなセクタに複数のビーコン信号を提供するために構成された図３のビーコン信号送信機を一般に示す。図５に示されるように、アンテナ・スイッチ５０３が加えられ、目標基地局１０６によってサービスされるカバレッジ・エリアにおけるセクタＡ１−Ａ３間の複数のビーコン信号の切り替えを行う。セクタＡ１−Ａ３毎の送信を制御するために、付加制御信号５０６がアンテナ・スイッチ５０３を制御するために含められる。好適な実施例では、制御信号５０６はアンテナ・スイッチ５０３を制御し、周波数Ｆ１−Ｆ３の各々が特定のセクタＡ１−Ａ３で走査された後、セクタからセクタへの切り替えを行う。別な言葉では、図２に示されるタイミングの例を用いて、制御信号５０６はアンテナ・スイッチ５０３を制御し、ほぼ6秒毎にセクタからセクタへ切り替える。セクタからセクタへの切り替え制御はＣＤＭＡ通信システムの特定の実行によって要求する他のパラメータに基づいて行うことができることを、当業者は理解するであろう。また、図４と関連して記述されたビーコン信号送信機が本発明の精神と範囲を逸脱することなく、セクタＡ１−Ａ３（あるいは如何なる数のセクタであっても）へ送信するために同様に変調されることを、当業者は理解するであろう。
【００１８】
本発明は特定の実施例と関連して明確に示されかつ記述される一方、当業者であれば形式および些細な点における様々な変更が本発明の精神および範囲から逸脱せずここに成され得ることを理解するであろう。対応する構造、材料、動作および以下の請求項における全ての機能要素を含む手段あるいはステップに等価なものは、あらゆる構造、材料、または特に請求された他の要素と結合して機能を実行するための動作を含むように意図されている。
【図面の簡単な説明】
【図１】  本発明に従って、走査するビーコン信号を有効に使用する通信装置を一般に示す。
【図２】  本発明に従って、走査するビーコン信号を有効に使用する通信装置を一般に示す。
【図３】  本発明に従って、パイロット・チャネルのみを有するビーコン信号あるいは周波数Ｆ１−Ｆ３の各々に対する共通のパイロット／ページ／同期 チャネルを含むビーコン信号を生成することのできるビーコン信号送信機を一般に示す。
【図４】  本発明に従って、各周波数Ｆ１−Ｆ３に対して異なるパイロット／ページ／同期 チャネルを含むビーコン信号を生成することのできるビーコン信号送信機を一般に示す。
【図５】  本発明に従って、カバレッジ・エリアのさまざまなセクタに複数のビーコン信号を提供するために構成された図３のビーコン信号送信機を一般に示す。
【図１】
0003967547.tif 000002
【図２】
0003967547.tif 000003
【図３】
0003967547.tif 000004
【図４】
0003967547.tif 000005
【図５】
0003967547.tif 000006